(57)【要約】【課題】施工現場において効率的に作業するための吊り戸部品の梱包体を提供する。【解決手段】ガイドレール２０と、ガイドレール２０を走行するガイドローラ３２を有したランナー３０と、ガイドレール２０の長手方向の端部に取り付けるストッパ部材４０とが梱包されており、ランナー３０は、ガイドローラ３２がガイドレール２０に係合され、移動が規制された状態に保持され、ストッパ部材４０は、ガイドレール２０の長手方向の端部に装着されている。【選択図】図１
2015123965.tif 000002
【特許請求の範囲】
【請求項１】
ガイドレールと、該ガイドレールを走行するガイドローラを有したランナーと、前記ガイドレールの長手方向の端部に取り付けるストッパ部材とが梱包されており、
前記ランナーは、前記ガイドローラが前記ガイドレールに係合され、移動が規制された状態に保持され、
前記ストッパ部材は、前記ガイドレールの長手方向の端部に装着されていることを特徴とする吊り戸部品の梱包体。
【請求項２】
請求項１において、
前記ランナーは、前記ガイドローラを軸支したランナー本体と、該ランナー本体から突出した戸体連結用のシャフトとを有した構造とされ、前記シャフトが前記ガイドレールの長手方向に沿って設けた溝開口より突出した状態で前記ガイドレールに装着されており、
前記ランナーを装着した前記ガイドレールは、梱包材で梱包されており、
前記梱包材は、底部と側壁部とを有した形状とされ、前記側壁部の一部を前記底部側に折り曲げて前記ランナーのシャフトの移動を規制したことを特徴とする吊り戸部品の梱包体。
【発明の詳細な説明】
【技術分野】
【０００１】
本発明は、ガイドレール等を梱包した吊り戸部品の梱包体に関する。
【背景技術】
【０００２】
折戸などの吊り戸は、ガイドローラを回転可能に軸支したランナー本体と、ランナー本体から突出したシャフトとを備えたランナーが戸体に取り付けられ、ガイドローラがガイドレールに係合した状態で戸体が吊り支持され移動する構成となっている。特許文献１には、ランナーを用いて戸体を移動可能とした吊り戸構造の一例が記載されている。
【０００３】
このように、ランナーは、戸体がガイドレールに沿って走行できるように、戸体、ガイドレール間を連結する部材として用いられている。
【０００４】
このようなランナーは吊り戸の施工に際し、戸体に１つずつ使用されるが、それらはガイドレールの附属部品として袋詰めして枠体やガイドレールと同梱するか、あるいは他の梱包箱にまとめて梱包して個別に現場へ持ち込まれることが通例であった。
【０００５】
また、折戸の施工に必要な部品として、ガイドレールの長手方向の端部開口に装着するようにしたストッパ部材がある。このストッパ部材は、縦枠側の戸体がガイドレールを移動できないようにランナーを固定する作用を有したものもある。
【０００６】
このようなランナーやストッパ部材などの小物類は、上述したように、袋詰めするなどして施工現場へ持ち込まれ、現場でガイドレールに取り付けることが通例であった。施工現場では、枠を組立て、それを開口に取り付け、その後、ランナーとストッパ部材を装着したガイドレールを上枠に取り付けるような施工手順であった。
【先行技術文献】
【特許文献】
【０００７】
【特許文献１】特開２００５−５４５２１号公報
【発明の概要】
【発明が解決しようとする課題】
【０００８】
しかしながら、現場においては、ランナーやストッパ部材の複数の部品のうちいずれかをガイドレールに装着し忘れることがある。このように必要な部材が未装着のガイドレールを上枠に取り付けた場合、その状態ではガイドレールの長手方向の端部は縦枠で塞がれるため、そのままでは当然に、装着し忘れた部品をガイドレールに装着することはできない。よって、装着し忘れた部品を装着するために、取り付け済みのガイドレールを取り外さなければならない。このように、吊り戸の施工現場では、少しの手順の誤りで手戻り作業が発生することがあった。
【０００９】
また、そもそも吊り戸の施工現場では、ランナーとストッパ部材のガイドレールへの装着、枠の組立て、壁開口への枠の取り付け、ランナー等を装着したガイドレールの上枠への取り付け、戸体とランナーとの連結などの多くの作業をする必要がある。
【００１０】
このような種々の作業を迅速に、手戻りなく、作業を効率的に行うことが従来より望まれていた。本発明者は、現場で効率的な作業ができるようにするために吊り戸部品の梱包体に着目し、その新たな梱包体を種々試行していた。
【００１１】
本発明は、このような事情を考慮して提案されたもので、その目的は、施工現場において効率的に作業するための吊り戸部品の梱包体を提供することにある。
【課題を解決するための手段】
【００１２】
上記目的を達成するために、本発明の吊り戸部品の梱包体は、ガイドレールと、ガイドレールを走行するガイドローラを有したランナーと、ガイドレールの長手方向の端部に取り付けるストッパ部材とが梱包されており、ランナーは、ガイドローラがガイドレールに係合され、移動が規制された状態に保持され、ストッパ部材は、ガイドレールの長手方向の端部に装着されていることを特徴とする。
【００１３】
本発明においては、ランナーは、ガイドローラを軸支したランナー本体と、ランナー本体から突出した戸体連結用のシャフトとを有した構造とされ、シャフトがガイドレールの長手方向に沿って設けた溝開口より突出した状態で前記ガイドレールに装着されており、そのランナーを装着したガイドレールは、梱包材で梱包されており、梱包材は、底部と側壁部とを有した形状とされ、側壁部の一部を底部側に折り曲げてランナーのシャフトの移動を規制した構成としてもよい。
【発明の効果】
【００１４】
本発明の吊り戸部品の梱包体によれば、上述した構成となっているため、吊り戸の施工現場において効率的に作業することができる。
【図面の簡単な説明】
【００１５】
【図１】本発明の一実施形態に係る吊り戸部品の梱包体の説明図である。（ａ）は同梱包体の内部を示す一部を断面とした正面図、（ｂ）は同断面図である。
【図２】図１に示した吊り戸部品の梱包体に用いられる梱包材の展開図である。
【図３】（ａ）はガイドレールの縦断面図、（ｂ）は上枠の縦断面図、（ｃ）は縦枠の縦断面図（取付状態における横断面図）、（ｄ）は戸枠の一部を省略した正面図である。
【図４】ランナーの斜視図である。
【図５】（ａ）はストッパー部材の側面図、（ｂ）は同斜視図である。
【図６】（ａ）、（ｂ）はいずれも、本発明の他の実施形態に係る吊り戸部品の梱包体の内部を示す一部を断面とした正面図である。
【図７】本発明の他の実施形態に係る吊り戸部品の梱包体の説明図である。（ａ）は同梱包体の内部を示す一部を断面とした正面図、（ｂ）は同断面図である。
【図８】図７に示した吊り戸部品の梱包体に用いられる梱包材の斜視図である。
【発明を実施するための形態】
【００１６】
以下に、本発明の実施の形態について、添付図面にもとづいて説明する。
【００１７】
以下に説明する吊り戸部品の梱包体１は、ガイドレール２０と、ガイドレール２０を走行するガイドローラ３２を有したランナー３０と、ガイドレール２０の長手方向の端部に取り付けるストッパ部材４０とが梱包されたものである（図１、図６、図７参照）。
【００１８】
図１、図６、図７に示すように、梱包体１内では、ランナー３０は、ガイドローラ３２がガイドレール２０に係合され、移動が規制された状態に保持されている。またストッパ部材４０は、ガイドレール２０の長手方向の端部に装着されている。
【００１９】
なお、以下の実施形態に示す吊り戸としては、居室への出入口に設けた引戸、収納棚の衣類出し入れ用の折戸などが含まれる。
【００２０】
ついで、各実施形態の詳細について説明する。
【００２１】
図１〜図５は、本発明の一実施形態に係る吊り戸部品の梱包体の説明図である。また、図６は同実施形態における他例を示した図である。なお、図例としては吊り戸として折戸を例示した。
【００２２】
この吊り戸部品の梱包体１（以下、単に梱包体１と記載する）は、上枠５１に固定されるガイドレール２０、ランナー３０、ストッパ部材４０の他に、２本の縦枠５３、５３と、上枠５１とを梱包材１０で梱包してなるものである。
【００２３】
梱包材１０は、図２の展開図に示すように、上枠５１、縦枠５３を本体部１１に長手寸法的にみて収納可能とした矩形状の段ボール材などよりなる。梱包材１０は、底部１１ａ、一対の側壁部１１ｂ、１１ｂ、一対の上部片１１ｃ、１１ｃよりなる本体部１１と、長手方向の両端部に複数形成した端部蓋片１２、１２、・・・とよりなる。一対の上部片１１ｃ、１１ｃはその端部同士を突き合わせて箱の上部を構成している。
【００２４】
端部蓋片１２、１２、・・・は、底部１１ａ、側壁部１１ｂ、１１ｂ、上部片１１ｃ、１１ｃの各長手方向に延長して設けられ、切り込みによって各蓋片ごとに折りたたみできるようになっている。なお、端部蓋片１２は不要な片を切り取って使用するようにしてもよい。
【００２５】
２本の縦枠５３、５３と、上枠５１とを含んで構成される戸枠５０は、図３（ｄ）に示すように縦勝ちで組み立てられ、屋内の壁の開口に組み付け固定される枠材である。本実施形態で示した戸枠５０は、クローゼットの衣類出し入れ用の開口部に取り付けられる折戸用のものである。
【００２６】
この戸枠５０は、壁の開口部の両端に立設される縦枠５３、５３と、縦枠５３、５３間に連結される上枠５１と、同様に縦枠５３、５３間に連結される下枠５５とを備えている（図３（ｄ）参照）。上枠５１、縦枠５３、５３および下枠５５の主たる素材は木質材とされる。なお、戸枠５０は、下枠５５を含まないものであってもよい。
【００２７】
本実施形態の梱包体１は、図１〜図６に示すように、ガイドレール２０と、ランナー３０と、ストッパ部材４０とを、２本の縦枠５３、５３および上枠５１をいっしょに梱包材に同梱してなる梱包体１である。ガイドレール２０と、ランナー３０と、ストッパ部材４０とを、２本の縦枠５３、５３および上枠５１を含まずに梱包してもよいし、下枠５５をさらに含んで梱包してもよいし、上枠５１のみといっしょに梱包してもよい。その他種々の組み合わせでもよく、少なくともガイドレール２０と、ランナー３０と、ストッパ部材４０とをいっしょに梱包する構成であればよい。ガイドレール２０は、上枠５１に装着して使用されるものであり、長さがほぼ同じであるため、すくなくとも上枠５１と同梱することが梱包体１を形成するうえで望ましい。
【００２８】
ついで、梱包材１０に収納されている縦枠５３、５３、上枠５１、上枠５１に装着されるガイドレール２０、ガイドレール２０に装着されるランナー３０およびガイドレール２０に装着されるストッパ部材４０について順次、個別に説明する。
【００２９】
縦枠５３は上下方向に配設される中実構造の板状体とされ、壁板（不図示）を嵌め入れるための凹溝５３ａと、戸体６０と縦枠５３との間にできる隙間を隠すための突条片５３ｂとが長手方向に沿って形成されている（図３（ｃ）参照）。これらの縦枠５３、５３は、本梱包体１では一方が開口を向く面を上に向け、他方が開口を向く面を下に向け、両者を重ね合わせた状態に梱包される。
【００３０】
上枠５１は縦枠５３、５３間の上部に配設される中実構造の板状体とされ、施工後における下面には長手方向に沿って、ガイドレール２０を装着するための取付溝５１ａが形成されている（図３（ｂ）参照）。なお、本梱包体１では、上枠５１は施工状態とは天地を逆にして梱包される。
【００３１】
ガイドレール２０は、金属材料で形成されている。このガイドレール２０は、本体部２１の断面をＵ字形状とし、溝開口２３側にはランナー３０が走行するためのフランジ部２２、２２が形成されている（図３（ａ）参照）。
【００３２】
ガイドレール２０に装着されるランナー３０は、図４に示すようにガイドローラ３２、３２、・・・を軸支したランナー本体３１と、ランナー本体３１から突出した戸体連結用のシャフト３３とを有した構造とされる。
【００３３】
具体的には、ランナー３０は、ランナー本体３１には２組（計４個）のガイドローラ３２、３２、・・・が設けられ、ガイドレール２０内に係合され、ガイドレール２０に沿って走行できるようになっている（図４参照）。シャフト３３は、ランナー３０が取り付けられた状態では垂下状態にあり、その下端には大径の頭部３３ａが設けられている。この頭部３３ａが戸体６０の上部に組み込んだベースカップ（不図示）に係合して、戸体６０がランナー３０に吊り下がった状態で回動、開閉できるようになっている。
【００３４】
このランナー３０は、折戸を構成する一対の戸体６０のそれぞれの端部の対称位置に１つずつ取り付けられる。ランナー３０は、相手のランナー３０と噛み合う形状とした突出部３４を備えており、折戸が開状態にあるときに突出部３４同士が噛み合って開状態を維持（仮保持）できるようになっている。
【００３５】
さらに、ランナー３０の取付状態における上面には、後述するストッパ部材４０に係止される係止溝３５が形成されている。ランナー３０がガイドレール２０の端部に取り付けたストッパ部材４０に係止され、かつ下部において下部走行体（不図示）が下部ストッパ部材（不図示）に係止されることで、戸体６０が縦枠５３より移動できないようになっている。
【００３６】
一方、ストッパ部材４０は、図５（ａ）、（ｂ）に示すように、ストッパ本体４１に、正面視で（施工状態において）下向きＶ字状に形成された弾性部片４２が設けられている。ランナー３０をガイドレール２０に沿って移動させ、弾性部片４２がランナー３０の係止溝３５に弾性力で嵌まり込むことで、ランナー３０が移動できないように保持される。
【００３７】
また、ストッパ本体４１には、回転操作で上下移動可能な挟み板４３が取り付けられている。ストッパ部材４０は、ガイドレール２０の端部に嵌めこみ装着される部材である。ストッパ部材４０は、２片の鍔片４４、４４をガイドレール２０のフランジ部２２、２２に外側よりあてがって、ねじの回転操作で挟み板４３を移動させて、鍔片４４、４４と挟み板４３とでフランジ部２２、２２を挟み込むことでガイドレール２０に固定される。
【００３８】
本実施形態に係る梱包体１内においては、図１（ａ）、（ｂ）に示すように、ガイドレール２０内に戸体６０の数に対応した数のランナー３０、３０が装着され、ガイドレール２０の両端部のそれぞれにストッパ部材４０が装着されている。なお、本実施形態の図例では、一対のランナー３０、３０が装着されたものを示した。
【００３９】
梱包体１内では、図１（ａ）、（ｂ）に示すように、梱包材１０の底部１１ａに縦枠５３、５３が積み重ねられ、その上にガイドレール２０を取付溝５１ａに取り付けた上枠５１がランナー３０のシャフト３３を上方に突出させた状態で重ねられて収納されている。
【００４０】
ガイドレール２０内では、１組のランナー３０は施工された状態と同様に突出部３４が向き合うように配され、それらが噛み合った状態となっている。したがって、それらのランナー３０は相互にそれ以上近づかないようになっている。さらに、各シャフト３３、３３の外側において、ガイドレール２０の溝開口２３（図３（ａ）参照）を部分的に塞ぐようにガイドレール２０と上枠５１とにテープ５が貼り付けてある。このようにテープ５が貼り付けてあるため、ガイドレール２０内での１組のランナー３０、３０の移動は規制される。
【００４１】
梱包体１内においてはさらに、ガイドレール２０の溝開口２３（図３（ａ）参照）より突出したランナー３０のシャフト３３に保護材３が被せられ、縦枠５３、５３、上枠５１を含む全体が気泡緩衝材や袋で包まれている。なお、シャフト３３の保護材３としては段ボール材や気泡緩衝材を用いればよい。
【００４２】
このように、ランナー３０はガイドレール２０に装着され、テープ５止めによって移動が規制され、ストッパ部材４０はガイドレール２０の端部に装着、固定されているため、梱包体１を運搬する際に、梱包体１の中でそれらの部材ががたつくおそれはない。また、シャフト３３は突出状態にあるが、保護材３で保護され、全体が梱包材１０で包まれているため、運搬中に損傷するおそれはない。
【００４３】
以上に示した梱包体１を、さらに他の梱包箱（不図示）に、他の部品（たとえば下枠５５）といっしょに収納するようにしてもよい。ようするにその場合は、吊り戸部品を包んだ梱包材１０が梱包箱内における緩衝材として作用する。
【００４４】
以上のように、本梱包体１はランナー３０およびストッパ部材４０がガイドレール２０に装着された状態で梱包されているため、施工現場において、施工済みの上枠５１にそのままの状態で取り付けることができ、施工作業を迅速かつ効率的に行うことができる。特に、現場においてランナー３０、ストッパ部材４０を装着し忘れるおそれがなく、ガイドレール２０を上枠５１に取り付けた後に、装着し忘れた部材を取り付けるためにガイドレール２０を上枠５１から取り外すといった手戻り作業が発生するおそれはない。また、折戸の施工に必要とされるランナー３０、ストッパ部材４０を、ガイドレール２０に取り付けた状態で梱包する構成であるから、それらの小物部品の現場への持ち込み忘れを回避できる。
【００４５】
なお、ガイドレール２０は、梱包する際に上枠５１に接着剤などで固定しておいてもよく、現場においても、ガイドレール２０を取り付けたまま戸枠５０を形成できるようにしてもよい。そのようにすれば、さらに効率的な作業が行える。
【００４６】
また、上述したように、ランナー３０やストッパ部材４０は梱包材１０や保護材３などで保護されているため、運搬時にそれらの部品が損傷するおそれはない。また、ランナー３０は移動が規制され、ストッパ部材４０は本来の取付部位に取付固定されているため、梱包体１内でがたつくおそれはない。
【００４７】
以上に示した吊り戸部品の梱包体１は一例であり、梱包の仕方としては図１の例に限られない。図２と同種の梱包材１０（寸法を異ならせたもの）を用いて、たとえば図６（ａ）、（ｂ）のような梱包の仕方をしてもよい。
【００４８】
図６（ａ）、（ｂ）の例は、梱包される吊り戸部品の品目、数は図１のものと同じであり、それらについては同一符号を付してその説明を省略する。また、ランナー３０をガイドレール２０に装着し、テープ３で止める点についても同様である。ストッパ部材４０については不図示であるが、図１の梱包体１と同様に、ガイドレール２０の端部に取り付けられている。
【００４９】
図６（ａ）の梱包体１では、２本の縦枠５３、５３および上枠５１は、各厚み側面を底部に配するように収納されている。さらに、上枠５１は縦枠５３、５３間に、一方の縦枠５３に重なるように、かつガイドレール２０から突出したランナー３０のシャフト３３が他方の縦枠５３の内側面を向くように配されている。シャフト３３には保護材３が被せられている。
【００５０】
この梱包体１によれば、ランナー３０のシャフト３３が梱包体１のほぼ中央位置で保護材３が被せられた状態にあり、なおかつ上枠５１の両側に縦枠５３、５３を配しているため、シャフト３３の安全性を確保することができる。
【００５１】
図６（ｂ）の梱包体１では、ランナー３０、ストッパ部材４０を装着したガイドレール２０は上枠５１に装着せずに個別に収納されている。２本の縦枠５３、５３および上枠５１は重ねられ、平板状の保護材３（緩衝材）を介してガイドレール２０の横に収納されている。
【００５２】
このように、この梱包体１は、ランナー３０、ストッパ部材４０が装着されたガイドレール２０が、シャフト３３の他の部材への接触を回避できるように、枠材とは分離させて収納されている。そのため、シャフト３３の周辺に空間ができ、シャフト３３の安全性が確保できる。
【００５３】
また、以上に示した図６（ａ）、（ｂ）の２例についても、ランナー３０、ストッパ部材４０がガイドレール２０に装着された状態で梱包されているから、施工の際の施工性については図１のものと同様の効果が奏せられる。また、ランナー３０、特にそのシャフト３３やストッパ部材４０の運搬の際の安全性を確保することもできる。
【００５４】
ついで、本発明の他の実施形態に係る吊り戸部品の梱包体について、図７および図８を参照して説明する。この梱包体１には、２本の縦枠５３、５３、上枠５１、ガイドレール２０、ランナー３０およびストッパ部材４０が図１の同様の状態で梱包されている。
【００５５】
本実施形態では、図８に示した梱包材１０が用いられる。この梱包材１０は、段ボール材で形成されている。あるいは、さらに硬質な材料で形成された梱包材１０を用いてもよい。梱包材１０は、底部１１ａ、一対の側壁部１１ｂ、１１ｂを有してなる。側壁部１１ｂには高さ方向の中央に底部１１ａ側に折り曲げできるように折目１１ｄが設けられている。折目１１ｄで折り曲げて使用される側壁部１１ｂの上方部は、被梱包材（吊り戸部品）の上部を覆う上部片１１ｃとして用いられる。
【００５６】
この上部片１１ｃには、長手方向の種々の位置にミシン目などの切り込み線１１ｅ、１１ｅ、・・・が形成されている。図８の例に示すように、上部片１１ｃを適宜な位置で折り曲げて、上枠５１を押さえるようにして梱包できるようになっている。ランナー３０のシャフト３３を上枠５１押さえた上部片１１ｃよりも上方に突出させるために、その部分の上部片１１ｃを切り取れるようになっている。切り込み線１１ｅは、ランナー３０の寸法に合わせて特定の位置に設けてもよいし、図７（ａ）に示すように、シャフト３３に相当する部位のみが切り取れるような間隔で設けてもよい。
【００５７】
図７（ａ）、（ｂ）に示した梱包体１は、図８に示した梱包材１０を用いて吊り戸部品を梱包したものである。シャフト３３が突出した部位を除く上枠５１の全長に対して、上部片１１ｃ、１１ｃが上枠５１を押さえつけるように折り曲げられて、吊り戸部品が梱包されている。
【００５８】
図７（ａ）、（ｂ）に示すように、梱包材１０の上部片１１ｃ、１１ｃでガイドレール２０上における２本のシャフト３３の各外側が固定されている。そのため、ランナー３０、３０同士を突出部３４、３４を噛み合わせた状態にしておけば、テープ５で固定しなくてもランナー３０がガイドレール２０を移動するおそれはない。また、ランナー３０、３０同士が離間している場合でも、図７の例のようにシャフトの両側方を上部片１１ｃ、１１ｃで固定しておけば、それぞれを移動規制された状態にすることができる。
【００５９】
さらに、上部片１１ｃ、１１ｃで上枠５１を押さえるようにしてあるため、縦枠５３、５３、上枠５１が梱包体１内で上下方向にぐらつくおそれはない。また、シャフト３３の保護のためにシャフト３３には保護材３を被せればよい。また、梱包体１を他の梱包箱に収納してシャフト３３の保護を図ってもよい。
【００６０】
以上のように、本梱包体１の構成によれば、図１のものと同様、運搬の際の安全を図ることができる。また、ぐらつきも防止できる。枠材を梱包材１０でほとんど隙間なく包む構成であるため、梱包材１０を少ない材料で形成でき、省材料に寄与できる。もちろん、ランナー３０やストッパ部材４０がガイドレール２０に装着されているため、現場での施工性もよい。
【００６１】
本実施形態では、ストッパ部材４０として、図５に示したものを例示したが、どのような構造のものであってもよい。ガイドレール２０の端部を塞ぐキャップのようなストッパ部材であってもよい。
【符号の説明】
【００６２】
１          梱包体
３          保護材
５          テープ
１０        梱包材
１１        本体部
１２        端部蓋片
２０        ガイドレール
２１        本体部
２２        フランジ部
２３        溝開口
３０        ランナー
３１        ランナー本体
３２        ガイドローラ
３３        シャフト
３４        突出部
３５        係止溝
３６        係合突起
４０        ストッパ部材
４１        ストッパ本体
４２        弾性部片
４３        挟み板
４４        鍔片
５０        戸枠
５１        上枠
５３        縦枠
６０        戸体
【図１】
2015123965.tif 000003
【図２】
2015123965.tif 000004
【図３】
2015123965.tif 000005
【図４】
2015123965.tif 000006
【図５】
2015123965.tif 000007
【図６】
2015123965.tif 000008
【図７】
2015123965.tif 000009
【図８】
2015123965.tif 000010